(57)【要約】【課題】  所望の回転位置にセットされたベゼル部材の不用意な回転を高い信頼性を持って抑制できる時計を提供する。【解決手段】  胴部材21に回転可能に取付けられたベゼル部材31に、収納溝34と、略180°離れた位置で収納溝に連続された一対の通し部35と、両通し部にベゼル部材の中心側から連続されると共に胴部材外に開放する一対の逃げ溝36を夫々設ける。胴部材21に、リング状に並べられる多数の係合溝26を収納溝に対向させて設けると共に、これら係合溝で囲まれて各係合溝に連続するリング形の受入れ溝を設ける。ベゼル部材31を任意の回転位置に保持するロック部材41を備える。ロック部材41は、収納溝34に収納された円弧状のばね部42、通し部35を貫通してベゼル部材31の外部から押し込み操作される一対の押し釦部43、及び係合溝26に係合されると共に押し釦部43が押し込まれた際に係合溝26から外れて受入れ溝に受入れられるストッパ部44を有している。【選択図】図４
2010185833.tif 000002
【特許請求の範囲】
【請求項１】
胴部材及びこの胴部材に回転可能に取付けられたベゼル部材の内の一方の部材に、この一方の部材の周方向に少なくとも略１８０°にわたる収納溝と、略１８０°離れた位置で前記収納溝に連続されるとともに前記一方の部材の外周に開口された一対の通し部と、これら通し部に前記一方の部材の中心側から連続されるとともに前記両部材の合い面に開放する一対の逃げ溝を夫々設け、
他方の部材の周方向にリング状に並べられる多数の係合溝を前記収納溝に対向させて前記他方の部材に設けるとともに、これら係合溝で囲まれて各係合溝に連続するリング形の受入れ溝を前記他方の部材に設け、
前記胴部材に対して前記ベゼル部材を任意の回転位置で動かないように保持するロック部材を前記一方の部材に取付け、
このロック部材が、前記収納溝に収納された円弧状のばね部、このばね部に互いに遠ざかる方向に突設されて前記通し部を貫通して前記一方の部材の外部から押し込み操作される一対の押し釦部、及び前記ばね部に設けられて前記係合溝に係合されるとともに前記押し釦部が押し込まれた際に前記係合溝から外れて前記受入れ溝に受入れられるストッパ部を有していることを特徴とする時計。
【請求項２】
前記一方の部材が前記ベゼル部材であり、前記他方の部材が前記胴部材であることを特徴とする請求項１に記載の時計。
【請求項３】
前記係合溝に係脱されるクリックボール及びこのボールを前記係合溝に押付けるクリックばねを有したクリックストッパが前記一方の部材に取付けられていることを特徴とする請求項１又は２に記載の時計。
【請求項４】
前記クリックストッパが一対の前記押し釦部を通る直線を境に前記ばね部と反対側に配設されていることを特徴とする請求項３に記載の時計。
【請求項５】
前記ロック部材が一体に形成されていることを特徴とする請求項１から４の内のいずれか一項に記載の時計。
【請求項６】
前記ロック部材が、ばね部及びこれに一体に形成されたストッパ部からなる第１部品と、前記押し釦部をなして前記第１部品と別に作られて前記ばね部に連結された第２部品とで形成されていることを特徴とする請求項１から４の内のいずれか一項に記載の時計。
【請求項７】
一対の前記押し釦部が、前記ベゼル部材が基準位置に在る状態で、前記胴部材に取付けられた竜頭と前記胴部材の中心を通る直線上から外れて配置されていることを特徴とする請求項２から６の内のいずれか一項に記載の時計。
【発明の詳細な説明】
【技術分野】
【０００１】
本発明は、回転可能なベゼルを備えた腕時計や懐中時計等の時計に関する。
【背景技術】
【０００２】
ベゼルは、リング形状であって、胴の周方向に回転できるように胴の上部外周に取付けられている。ベゼルは使用者により回転させられて任意の位置で停止される。このベゼルの目盛りを腕時計の長針が指し示すことにより、例えばベゼルの回転を停止させてからの経過時間を確認できる。こうした確認の信頼性を確保するために、ベゼルを任意の回転位置で動かないように保持する工夫が採用されている。
【０００３】
この工夫として、胴に内歯歯車状の歯部を形成するとともに、係止部を有した板ばねからなる係止部材をベゼルに設け、この係止部材の付勢力により係止部を胴の歯部に係合させてベゼルの回転を任意の回転位置で禁止するようにし、かつ、係止部を押圧して移動させることによりこの係止部を歯部から外す一個の押圧部材を、ベゼルに取付けた従来技術が知られている（例えば、特許文献１参照。）。
【０００４】
この他の工夫として、斜状の押上げ面を有する陥没部が形成されてばねで押し戻される一個の操作部材を胴に押し込み可能に設けるとともに、他のばねで上向きに付勢されたクリック部材及び陥没部への出入りに伴いクリック部材の下端に接離されるストッパ部材を胴に設けて、操作部材の移動に伴いクリック部材の上端部をベゼルの裏面に設けたクリック溝に係脱させる従来技術が知られている（例えば、特許文献２参照。）。
【０００５】
この特許文献２に記載の技術で、操作部材がばねで押し戻されているとき、ストッパ部材は陥没部から外れて操作部材の外周とクリック部材との間に挟まれているとともに、クリック部材はクリック溝に係合されているので、ベゼルの回転が禁止される。そして、操作部材が押し込まれたときは、ストッパ部材が陥没部に入り込んでクリック部材の軸方向移動が可能となるので、ベゼルを回転させることができる。
【先行技術文献】
【特許文献】
【０００６】
【特許文献１】特開２００５−３２６２８０号公報
【特許文献２】特開２００８−１２８８８０号公報
【発明の概要】
【発明が解決しようとする課題】
【０００７】
前記各従来技術は、単一の押し釦（特許文献１では押圧部材、特許文献２では操作部材）を備え、この押し釦が使用者により押し込み操作されることでベゼルの回転が許される構成である。言い換えれば、ベゼルの回転禁止を一箇所で行っている構成である。
【０００８】
そのため、腕時計の携帯中に、何らかのものが単一の押し釦を押すように接触することがあると、その際にベゼルが不用意に回転される恐れが考えられる。
【０００９】
以上のように従来技術によれば、所望の回転位置にセットされたベゼル部材が不用意に回転されないようにする信頼性が低い、という課題がある。
【課題を解決するための手段】
【００１０】
前記の課題を解決するために、本発明は、胴部材及びこの胴部材に回転可能に取付けられたベゼル部材の内の一方の部材に、この一方の部材の周方向に少なくとも略１８０°にわたる収納溝と、略１８０°離れた位置で前記収納溝に連続されるとともに前記一方の部材の外周に開口された一対の通し部と、これら通し部に前記一方の部材の中心側から連続されるとともに前記両部材の合い面に開放する一対の逃げ溝を夫々設け、他方の部材の周方向にリング状に並べられる多数の係合溝を前記収納溝に対向させて前記他方の部材に設けるとともに、これら係合溝で囲まれて各係合溝に連続するリング形の受入れ溝を前記他方の部材に設け、前記胴部材に対して前記ベゼル部材を任意の回転位置で動かないように保持するロック部材を前記一方の部材に取付け、このロック部材が、前記収納溝に収納された円弧状のばね部、このばね部に互いに遠ざかる方向に突設されて前記通し部を貫通して前記一方の部材の外部から押し込み操作される一対の押し釦部、及び前記ばね部に設けられて前記係合溝に係合されるとともに前記押し釦部が押し込まれた際に前記係合溝から外れて前記受入れ溝に受入れられるストッパ部を有していることを特徴としている。
【００１１】
本発明で、胴部材及びベゼル部材の内の一方の部材とは、他方の部材が胴部材である場合にはベゼル部材を指し、他方の部材がベゼル部材である場合には胴部材を指しており、この逆に、一方の部材がベゼル部材である場合には他方の部材は胴部材であり、一方の部材が胴部材である場合には他方の部材はベゼル部材である。本発明で、収納溝が略１８０°にわたるととともに、一対の通し部が略１８０°離れた位置に開口されるという技術手段は、一対の押し釦部を互いに近付く方向に押し込み操作するのに支障を生じないような位置関係に一対の押し釦部が配置するために実現手段であり、その角度は１８０°±１５°の範囲であることが好ましく、より好ましくは１８０°に設定するとよい。本発明で、両部材の合い面とは、時計の厚み方向に接し合う面を指している。
【００１２】
本発明でベゼル部材を回転操作するには、まず、使用者が親指と人差し指でベゼル部材又は胴部材を掴むようにしてロック部材の一対の押し釦部を、ロック部材のばね部に抗して互いに近付く方向に押し込み操作することにより、ロック部材の一対のストッパ部を、逃げ溝及び受入れ溝に移動させて、ベゼル部材又は胴部材に設けられた係合溝から外す。これにより、胴部材に対する保持（ロック）が解除されたベゼル部材を、次に回転操作することで、ベゼル部材を任意の回転位置に配置できる。最後に、前記押し込み操作を解除することにより、ばね部がその弾性力で元に戻ろうとするに伴い、一対の押し釦部が通し部から突出されると同時に一対のストッパ部が係合溝に係合される。これにより、ベゼル部材を前記任意の回転位置にロックできる。
【００１３】
以上のように胴部材に対するベゼル部材のロックを解除するのに、略１８０°離れている一対の押し釦部の双方を押し込み操作する必要がある。そのため、本発明の時計の携帯時に、一対の押し釦部の双方が共に外部から不用意に押される確率は低い。これとともに、一方の押し釦部が押し込まれても他方の押し釦部側のストッパ部と係合溝との係合が維持されているので、所望の回転位置にセットされたベゼル部材の不用意な回転を高い信頼性を持って抑制できる。
【００１４】
本発明の好ましい形態では、前記一方の部材が前記ベゼル部材であり、前記他方の部材が前記胴部材であることを特徴としている。
【００１５】
この好ましい形態では、ベゼル部材に取付けられているロック部材の一対のストッパ部を片手で押し込み操作して胴部材に対するベゼル部材のロックを解除すると同時に、ベゼル部材を掴むことができるため、前記片手で引き続いてベゼル部材を回転操作することができる。したがって、時計が腕時計である場合、携帯中（時計が腕に装着された状態）に片手でベゼル部材を操作でき、取り扱い上便利である。
【００１６】
本発明の好ましい形態では、前記係合溝に係脱されるクリックボール及びこのボールを前記係合溝に押付けるクリックばねを有したクリックストッパが前記一方の部材に取付けられていることを特徴としている。
【００１７】
この好ましい形態では、クリックストッパのクリックボールが係合溝に係合することで、ロック部材のストッパ部と係合溝とを位置決めできる。このため、押し釦部の押し込み操作力が消失すると、逃げ溝及び受入れ溝に受入れられている状態のストッパ部が、ロック部材のばね部によって係合溝に引っ掛かることなく円滑に係合溝に係合されて、ベゼル部材を所望の回転位置に保持できる。
【００１８】
本発明の好ましい形態では、前記クリックストッパが一対の前記押し釦部を通る直線を境に前記ばね部と反対側に配設されていることを特徴としている。
【００１９】
この好ましい形態では、ロック部材とクリックストッパとを、時計の半径方向に並べることを要しないので、時計が径方向に大きくならないようにできる。
【００２０】
本発明の好ましい形態では、前記ロック部材が一体に形成されていることを特徴としている。
【００２１】
この好ましい形態では、ロック部材が一部品で形成されるので、この部材自体を組み立てる手間を要しない。
【００２２】
本発明の好ましい形態では、前記ロック部材が、ばね部及びこれに一体に形成されたストッパ部からなる第１部品と、前記押し釦部をなして前記第１部品と別に作られて前記ばね部に連結された第２部品とで形成されていることを特徴としている。
【００２３】
この好ましい形態では、ばね部と一対の押し釦部とが別体であるので、これらをその機能に応じて設計できる。したがって、例えばばね部が線状であっても、このばね部に制約されることなく押し釦部の形状や材料を定めることが可能である。
【００２４】
本発明の好ましい形態では、一対の前記押し釦部が、前記ベゼル部材が基準位置に在る状態で、前記胴部材に取付けられた竜頭と前記胴部材の中心を通る直線上から外れて配置されていることを特徴としている。
【００２５】
この好ましい形態で、ベゼル部材が基準位置に在るとは、ベゼル部材に付された数字からなる標示の内で、「０」の数字が時計の１２時を向いた状態にベゼル部材が保持されていることを指しており、この状態のベゼル部材は使用待機状態にある。
【００２６】
この好ましい形態では、ベゼル部材が基準位置に在る状態で、押し釦部と竜頭とが上下に重ならないので、ベゼル部材のロックを解除する際に竜頭が邪魔にならないとともに、竜頭操作をする際に押し釦部が邪魔にならない。
【発明の効果】
【００２７】
本発明の時計によれば、所望の回転位置にセットされたベゼル部材の不用意な回転を高い信頼性を持って抑制できる、という効果がある。
【図面の簡単な説明】
【００２８】
【図１】本発明の第１実施形態に係る腕時計を示す正面図である。
【図２】第１実施形態に係る腕時計を図１中Ｆ２−Ｆ２線に沿って示す断面図である。
【図３】第１実施形態に係る腕時計をその竜頭周りを省略して図１中Ｆ３−Ｆ３線に沿って示す断面図である。
【図４】第１実施形態に係る腕時計全体を図２中Ｆ４−Ｆ４線に沿って示す断面図である。
【図５】第１実施形態に係る腕時計をそのベゼル部材を外した状態で示す正面図である。
【図６】第１実施形態に係る腕時計のベゼル部材をそれに取付けられた部品とともに示す断面図である。
【図７】第１実施形態に係る腕時計のベゼル部材をそれに取付けられた部品とともに示す裏面図である。
【図８】第１実施形態に係る腕時計が備えるロック部材を示す斜視図である。
【図９】本発明の第２実施形態に係る腕時計を示す図２相当の断面図である。
【図１０】第２実施形態に係る腕時計が備えるロック部材を示す分解斜視図である。
【図１１】本発明の第３実施形態に係る腕時計を示す図２相当の断面図である。
【発明を実施するための形態】
【００２９】
以下、図１〜図８を参照して本発明の第１の実施の形態について、詳細に説明する。
【００３０】
図１〜図３中符号１１は携帯時計例えば腕時計を示している。図２及び図３に示すように腕時計１１の時計外装体１２内に、内蔵部品例えば時計ムーブメント１３が設けられているとともに、時刻表示部例えば円形の文字板１４が設けられている。文字板１４の表示は時計ムーブメント１３で駆動される時刻表示針、具体的には図１に示した短針１５、長針１６、及び分針１７により指し示される。文字板１４の３時の時刻表示側に対応して竜頭１８が時計外装体１２に取付けられている。竜頭１８は時計ムーブメント１３を介して時刻表示針等を調整する際等に操作される。
【００３１】
図２及び図３に示すように時計外装体１２は、胴部材２１と、ガラス２２と、裏蓋２３を備えている。胴部材２１はステンレス鋼やチタン等の金属又は合成樹脂により環状に作られている。文字板１４を透視させるガラス２２は胴部材２１の正面部に液密に装着されている。裏蓋２３は、金属又は合成樹脂で作られていて、胴部材２１の裏面を閉じて液密に装着されている。
【００３２】
図５に示すように胴部材２１は、正面から見て文字板１４の周囲を囲む円環状部位２１ａと、一対のかん足２４と、他の一対のかん足２５を有している。かん足２４は図５において円環状部位２１ａの上部から一体に突設され、他のかん足２５は図５において円環状部位２１ａの下部から一体に突設されていて、これらには図示しないベルト等の腕装着部材が取付けられる。
【００３３】
図２及び図３に示すように胴部材２１は、その正面部に上向き凸部２１ｂを有しているとともに、この上向き凸部２１ｂの根元から外側に張り出す肩部２１ｃを有している。上向き凸部２１ｂは、円形であり、その内周部にガラス２２が装着されている。
【００３４】
図２、図３、及び図５に示すように肩部２１ｃに、この肩部２１ｃの上面に開放する多数の係合溝２６及び受入れ溝２７が設けられている。
【００３５】
各係合溝２６は胴部材２１の円環状部位２１ａにその周方向にリング形に並べられて形成されている。これらの係合溝２６は胴部材２１の中心に対して放射方向に延びて形成されているとともに、それが延びる方向と直交する方向の溝断面の形状はＶ字形状をなしている。このため、胴部材２１の周方向に隣り合った係合溝２６は、相互間に断面が等辺三角形状の凸部を形成して隣り合っている。このような構造の係合溝２６としたことにより、後述するベゼル部材３１を任意位置に回転操作する際に、その方向が一方向に特定されることがない。
【００３６】
受入れ溝２７はリング形に形成されている。受入れ溝２７はリング形に並べられた多数の係合溝２６で囲まれている。この受入れ溝２７は、胴部材２１の中心側具体的には上向き凸部２１ｂ側から各係合溝２６に連続されている。
【００３７】
受入れ溝２７及び多数の係合溝２６はいずれも胴部材２１の肩部２１ｃの上面、つまり、次に説明するベゼル部材３１の裏面が接する面（合い面）に開放されている。そのため、これらの溝を加工するのに切削加工によらずプレス加工を採用できるに伴い、多数の係合溝２６及び受入れ溝２７を有した部材、つまり、本実施形態では胴部材２１に対する加工性が良いので、生産性を向上する上で好ましい。
【００３８】
図２及び図３に示すようにベゼル部材３１が、上向き凸部２１ｂ及び肩部２１ｃを覆って、胴部材２１の上部外周に回転可能に取付けられている。ベゼル部材３１は金属又は合成樹脂製でかつリング形をなしているとともに、その外径は肩部２１ｃの外径に略等しい。このベゼル部材３１は、上向き凸部２１ｂの外周にその周方向に沿って形成された係合凸部２１ｄに下方から引っ掛かって外れ止めされている。この係合箇所の真上に配置される摩擦リング３２がベゼル部材３１の内周に取付けられている。
【００３９】
図１に示すようにベゼル部材３１の表面に目盛等の標示３３が設けられている。標示３３は例えば６０分に対応する目盛であり、９０°毎に設けられた「０」、「１５」、「３０」、及び「４５」の数字を含んでいる。このベゼル部材３１はそれを使用しないとき通常図１に示す基準位置に配置されている。この基準位置にベゼル部材３１が配置されたた状態で、０分を指し示す標示３３の数字「０」は、文字板１４の１２時に一致するようになっている。
【００４０】
ベゼル部材３１に、収納溝３４と、一対の通し部３５と、一対の逃げ溝３６が夫々設けられている。
【００４１】
収納溝３４は、ベゼル部材３１の裏側部位に、このベゼル部材３１の少なくとも略１８０°にわたって、具体的には図４及び図７に示すように３６０°にわたって設けられている。この収納溝３４はベゼル部材３１の内周面に開放されている（図２、図３、及び図６参照）。
【００４２】
一対の通し部３５は、ベゼル部材３１の径方向に対向するように略１８０°好ましくは１８０°離れて設けられている（図４及び図７参照）。これら押し部３５は収納溝３４に連続しているとともに、ベゼル部材３１の外周に開口されている。
【００４３】
一対の逃げ溝３６も、通し部３５と同様にベゼル部材３１の径方向に対向するように略１８０°好ましくは１８０°離れて設けられている。これら逃げ溝３６は図４に示すように胴部材２１の中心側具体的には上向き凸部２１ｂ側から連続されている。これとともに逃げ溝３６はベゼル部材３１の下面、つまり、肩部２１ｃに接し合う面に開放されている。具体的には、図２及び図７に示すように収納溝３４を下側から仕切っている裏壁部３１ａの一部を切欠くことによってベゼル部材３１の裏面に逃げ溝３６が開放されている。それにより、逃げ溝３６は収納溝３４にも連続している。これら逃げ溝３６の通し部３５側の端部が、図２及び図４に示すように係合溝２６に対向されている。この場合、胴部材２１の中心側に位置した溝端部に逃げ溝３６が対向している。
【００４４】
収納溝３４、通し部３５、及び逃げ溝３６が設けられた部材、本実施形態ではベゼル部材３１に、ロック部材４１が取付けられている。ロック部材４１は図８に示すようにばね部４２、一対の押し釦部４３、及び一対のストッパ部４４を有している。このロック部材４１は例えば金属の一体成型品からなる。これにより、ロック部材４１が一部品で形成されるので、この部材自体を組み立てる手間を要しない利点がある。
【００４５】
ばね部４２は、円弧状例えば略１８０°にわたる半円弧状をなしていて、弾性変形が可能である。一対の押し釦部４３は、略１８０°離れてばね部４２に設けられており、本実施形態ではばね部４２の両端部に夫々設けられ、かつ、互いに遠ざかる方向にばね部４２から突設されている。一対のストッパ部４４も略１８０°離れてばね部４２に設けられており、本実施形態ではばね部４２の両端部でかつ押し釦部４３から下方に突設されている。これら押し釦部４３の先端部は、先細り形状をなしていて、係合溝２６に係脱される。
【００４６】
図４及び図７に示すようにロック部材４１のばね部４２は収納溝３４にこの収納溝３４の奥の面３４ａ（図６参照）に沿って接するように収納されている。ロック部材４１の押し釦部４３は夫々通し部３５に通されて、ベゼル部材３１の外部から押し込み操作可能に突出されている。このように押し釦部４３がベゼル部材３１の外部に突出された状態で、ロック部材４１のストッパ部４４は逃げ溝３６を通ってベゼル部材３１の裏面から突出されているとともに、胴部材２１の係合溝２６の一部に係合されている。こうしてベゼル部材３１に取付けられたロック部材４１は、ばね部４２の弾性変形により、このばね部４２が収納溝３４の奥の面３４ａに接触した状態にあって、がたつかないように保持されている。
【００４７】
一対の押し釦部４３は、ベゼル部材３１が基準位置に配置された状態で竜頭１８と胴部材２１の中心を通る直線Ｓ２上から外れて配置されている。具体的には、ベゼル部材３１が基準位置に配置された状態で、図４等に示すように一対の通し部３５、一対の逃げ溝３６、一対の押し釦部４３、及び一対のストッパ部４４は、いずれも腕時計１１の１２時−６時を通る直線Ｓ１上に配置されている。
【００４８】
こうした竜頭１８に対する押し釦部４３の配置によれば、ベゼル部材３１が基準位置に在る状態で、押し釦部４３と竜頭１８とが上下に重ならないので、ベゼル部材３１のロックを解除する際に竜頭１８が邪魔にならないとともに、竜頭１８を操作する際に押し釦部４３が邪魔にならない利点がある。更に、ベゼル部材３１が基準位置に在る状態では、使用者の手も甲で押し釦部４３が不用意に押されることがないとともに、一対のかん足２４、及び一対のかん足２５により、これらかん足２４,２５がある側から押し釦部４３が何らかの物体が当たって不用意に押し釦部４３が押し込まれることも抑制できる利点がある。
【００４９】
ベゼル部材３１にクリックストッパ５１が取付けられている。クリックストッパ５１は図４及び図７に示すように一対の押し釦部４３を通る直線Ｓ３（なお、この直線Ｓ３は、図４では１２時−６時を通る直線Ｓ１と一致する。）を境にばね部４２と反対側に配設されている。これにより、ロック部材４１とこのロック部材４１から外れた位置に設けられるクリックストッパ５１、腕時計１１の半径方向に並べることを要しない。このため、クリックストッパ５１の配置を原因として腕時計１１が径方向に大きくならないようにできる利点がある。
【００５０】
クリックストッパ５１は、図３等に示すようにボールホルダ５２と、クリックボール５３と、クリックばね５４からなる。ボールホルダ５２の上端が閉じるとともに下端が開口された筒状をなしている。クリックボール５３は、鋼球等からなり、ボールホルダ５２の下端開口から外れないようにボールホルダ５２に収納されていて、上下に移動可能である。クリックばね５４は、ボールホルダ５２の閉じられた上端とクリックボール５３との間に挟設されていて、クリックボール５３を下方に付勢している。
【００５１】
クリックストッパ５１は、そのボールホルダ５２をベゼル部材３１に設けた取付け孔３７に圧入して配置されている。このクリックストッパ５１のクリックボール５３は胴部材２１の係合溝２６に係脱可能に係合されており、その係脱により胴部材２１に対してベゼル部材３１が一定角度回転する毎に節度が与えることができる。
【００５２】
これとともに、クリックボール５３が係合溝２６に係合することで、ロック部材４１のストッパ部４４に係合溝２６を位置決めできる。つまり、クリックボール５３がその直下の係合溝２６に係合すると同時に、ストッパ部４４とこれに対応する位置の係合溝２６とが係合可能となる関係にベゼル部材３１を位置決めできる。このため、押し釦部４３に対する押し込み操作力が消失されるに伴って、ロック部材４１のばね部４２が自己の弾性力で元の状態に戻る際に、逃げ溝３６及び受入れ溝２７に受入れられた状態のストッパ部４４がこれに対応する位置の係合溝２６に引っ掛かることなく円滑に係合されるので、ベゼル部材３１を所望の回転位置に保持できる利点がある。
【００５３】
前記構成を備えた腕時計１１が使用者の腕に装着された携帯状態において、ベゼル部材３１を回転操作するには、以下のように行えば良い。
【００５４】
まず、使用者が片手の親指と人差し指でベゼル部材３１を掴むようにしてロック部材４１の一対の押し釦部４３を、ロック部材４１のばね部４２の弾性力に抗して互いに近付く方向に向けて通し部３５内に没するように押し込み操作する。この場合、ばね部４２はその両端部が互いに近づくようにベゼル部材３１の収納溝３４内で撓み変形される。これに伴い、ロック部材４１の一対のストッパ部４４が、それまで係合していた胴部材２１の係合溝２６から外れて、逃げ溝３６及び受入れ溝２７に受入れられるように腕時計１１の中心側に移動される。
【００５５】
したがって、胴部材２１に対するベゼル部材３１の保持（ロック）が解除される。この場合、ロックを解除した片手の親指と人差し指はベゼル部材３１を径方向に挟むように掴んだ状態にある。そのため、一対の押し釦部４３を押し込むことに引き続いて、ベゼル部材３１を回転操作することができる。
【００５６】
以上のようにベゼル部材３１を任意の回転位置に配置する上で、使用者の片手で、胴部材２１に対するベゼル部材３１のロック解除操作と、ベゼル部材３１の回転操作を一挙動で行うことができるので、操作性を向上できる。
【００５７】
このベゼル部材３１の回転操作に伴い、クリックストッパ５１のクリックボール５３が、それまで係合していた係合溝２６から外れて、この係合溝２６に対してベゼル部材３１の回転方向側に隣接して位置されている係合溝２６に入り込む度に、クリック（節度）感が与えられる。この場合、隣り合った係合溝２６間に形成された凸部の断面が等辺三角形状であるので、ベゼル部材３１を時計回り又は反時計回りのいずれも方向にも回転させることが可能である。
【００５８】
したがって、ベゼル部材３１を任意の回転位置に配置するのに、近い方向にベゼル部材３１を回転させることができる。これとともに、ベゼル部材３１が任意の回転位置を行き過ぎた際でも、その位置からベゼル部材３１を逆回転させて任意の回転位置に配置できるので、こうした逆転操作ができない場合のように更にベゼル部材３１を一回り回転操作させる手間を要しない。
【００５９】
次に、ベゼル部材３１が任意の回転位置に配置された状態で、ベゼル部材３１から手を離して一対の押し釦部４３の押し込みを解除する。それにより、ばね部４２の弾性力で一対の押し釦部４３が通し部３５から突出される。これと同時に、一対のストッパ部４４が係合溝２６に係合される。したがって、ベゼル部材３１を前記任意の回転位置にロックすることができる。
【００６０】
以上のように前記構成の腕時計１１は、その携帯中にベゼル部材３１に取付けられているロック部材４１の一対の押し釦部４３を片手で押し込み操作して胴部材２１に対するベゼル部材３１のロックを解除すると同時に、ベゼル部材３１を掴んで前記片手で引き続いてベゼル部材３１を回転操作することができるので、取り扱い上便利である。
【００６１】
そして、前記構成の腕時計１１は、以上のように胴部材２１に対するベゼル部材３１のロックを解除するのに、略１８０°離れている一対の押し釦部４３の双方を押し込み操作する必要がある。そのため、腕時計１１の携帯時に、一対の押し釦部４３の双方が共に外部から不用意に押される確率は低い。これとともに、一方の押し釦部４３が押し込まれても、他方の押し釦部４３のストッパ部４４と係合溝２６との係合が維持されているので、所望の回転位置にセットされたベゼル部材３１の不用意な回転を、腕時計１１の携帯中に高い信頼性を持って抑制できる。
【００６２】
図９及び図１０は本発明の第２の実施の形態を示している。この第２実施形態の腕時計１１は、ロック部材４１を第１部品と一対の第２部品とで形成したという技術事項以外は、図９及び図１０に示されない技術事項を含めて第１実施形態と同じである。そのため、第１実施形態と同一の構成については同一符号を付してその説明を省略する。
【００６３】
図１０に示すようにロック部材４１の第１部品４１Ａは、ばね部４２及びこの両端部に夫々一体に形成されたストッパ部４４からなる。このばね部４２の両端部に夫々係止溝４５が形成されている。これら係止溝４５は、ストッパ部４４の突出方向とは逆方向に開放されている。
【００６４】
ロック部材４１の第２部品４１Ｂは、第１部品４１Ａとは別に作られたものであって、押し釦部４３を形成している。この第２部品４１Ｂつまり押し釦部４３は、板状ではなく例えば円柱状であり、その一端部に環状の係止溝４６が形成されている。図９に示すように第１部品４１Ａと第２部品４１Ｂは、それらの係止溝４５，４６を係止させることによって、互いに連結されてロック部材４１をなしている。
【００６５】
以上のようにばね部４２と一対の押し釦部４３とが別体であるので、これらをその機能に応じて設計できる。そのため、例えばばね部４２が線状であっても、腕時計１１の意匠や押し込み操作感の向上のために、押し釦部４３に丸棒や異形形状（つまり、丸棒以外の棒形状）の棒材を採用できる。これとともに、押し釦部４３とばね部４２とを異種の材料で形成することも可能である。
【００６６】
第２実施形態は、以上説明した事項以外は第１実施形態と同じである。したがって、この第２実施形態でも、第１実施形態で既に説明した理由によって本発明の課題を解決することができる。
【００６７】
図１１は本発明の第３の実施の形態を示している。第１、第２の実施形態では、ロック部材４１を胴部材２１とベゼル部材３１の内の一方の部材例えばベゼル部材３１に取付けたが、この逆に第３実施形態では一方の部材を胴部材２１とし、この胴部材２１にロック部材４１を取付けたという技術事項以外は、図１１に示されない技術事項を含めて第１実施形態と同じである。そのため、第１実施形態と同一の構成については同一符号を付してその説明を省略する。
【００６８】
第３実施形態では、胴部材２１とベゼル部材３１の内の一方の部材例えば胴部材２１の肩部２１ｃに収納溝３４と、一対の通し部３５（一方のみ図示）と、一対の逃げ溝３６（一方のみ図示）が夫々設けられている。これらの収納溝３４、一対の通し部３５、及び一対の逃げ溝３６は、いずれもベゼル部材３１の裏面と接し合う面である肩部２１ｃの上面に開放されている。そして、ロック部材４１は胴部材２１の直径方向に移動可能に通し部３５を貫通して肩部２１ｃに取付けられている。
【００６９】
又、第３実施形態では、胴部材２１とベゼル部材３１の内の他方の部材例えばベゼル部材３１に、リング形に並べられた多数の係合溝２６と、これらに囲まれたリング形の受入れ溝２７が設けられている。これら係合溝２６及び受入れ溝２７は、肩部２１ｃに覆い被さったベゼル部材３１の下面に開放されている。
【００７０】
第３実施形態は、以上説明した事項以外は第１実施形態と同じである。したがって、この第３実施形態でも、第１実施形態で既に説明した理由と同様な理由によって本発明の課題を解決することができる。
【００７１】
又、第３実施形態でベゼル部材３１を回転操作する際には、腕時計１１を腕から外した状態で、まず、片手により一対の押し釦部４３を押し込み操作して、胴部材２１に対するベゼル部材３１のロックを外した状態を片手で保持する。次に、他方の片手でベゼル部材３１を掴んで、このベゼル部材３１を所望の回転位置まで回して、この他方の片手を腕時計１１から離せばよい。
【符号の説明】
【００７２】
１１…腕時計（時計）
１８…竜頭
２１…胴部材
２６…係合溝
２７…受入れ溝
３１…ベゼル部材
３４…収納溝
３５…通し部
３６…逃げ溝
４１…ロック部材
４２…ばね部
４３…押し釦部
４４…ストッパ部
５１…クリックストッパ
５２…クリックボール
５３…クリックばね
Ｓ２…時計の中心と竜頭を通る直線
Ｓ３…一対の押し釦部を通る直線
４１Ａ…第１部品
４１Ｂ…第２部品
【図１】
2010185833.tif 000003
【図２】
2010185833.tif 000004
【図３】
2010185833.tif 000005
【図４】
2010185833.tif 000006
【図５】
2010185833.tif 000007
【図６】
2010185833.tif 000008
【図７】
2010185833.tif 000009
【図８】
2010185833.tif 000010
【図９】
2010185833.tif 000011
【図１０】
2010185833.tif 000012
【図１１】
2010185833.tif 000013